(57)【要約】      （修正有）【課題】複数の直管部と複数の曲り部を有する単一単品の管の形状を、単一単品の配管更生部材や配管部材に於いて、繰り返し回数の数値を使い容易に管の形状を表す計算式を提供する。【解決手段】テキストと自然数Ｎ＝｛０，１，２，３，４，５，６，７，８，・・・，Ｎ｝を用い、加減乗除算を行い、管の形状を表す事を手段とする。【選択図】図１
2016041977.tif 000002
【特許請求の範囲】
【請求項１】
基本となる計算式  “直管部＋Ｎ＊（曲り部＋直管部）＝管の形状  の使用を請求する。  ただし、Ｎ＝｛０，１，２，３，４，５，６，７，８，・・・・，Ｎ｝
【請求項２】
上記請求項１の管の形状に  曲り管Ｎ  の名称を使用することを請求する。
【請求項３】
上記請求項２の名称と曲り角度や口径等の数値類を兼ね合わせ各種部材の型番表示に使用することを請求する。
【発明の詳細な説明】
【技術分野】
【０００１】  複数の直管部と複数の曲り部を有する単一単品の管の形状を計算式にて表す。
【背景技術】
【０００２】
【先行技術文献】
【特許文献】
【０００３】
【特許文献１】特願２０１４−９８８６
【０００４】
【発明の概要】
【発明が解決しようとする課題】
【０００５】  特許文献１に代表される単一単品の配管更生部材や配管部材に於いて、繰り返し回数の数値を使い容易に管の形状を表す計算式が無いので創作する事を課題とする。
【課題を解決するための手段】
【０００６】  テキストと自然数Ｎ＝｛０，１，２，３，４，５，６，７，８，・・・，Ｎ｝を用い、加減乗除算を行い管の形状を表す事を手段とする。
【発明の効果】
【０００７】  本発明により、単一単品の各種部材の形状が容易に理解しやすくなる。
【図面の簡単な説明】
【０００８】
【図１】  自然数Ｎを用いた管の形状を表す計算式一覧表。
【図２】  自然数Ｎの繰返し回数Ｎと請求範囲の一覧表。
【発明を実施するための形態】
【０００９】  テキストと自然数Ｎを用い加減乗除算を創作する。また、図１および図２を使用し本発明を説明する
【実施例】
【００１０】  図１は、本発明を自然数Ｎおよび繰返し回数および計算式ならびに管の形状を一覧表にする事により各々の関連性を明確に表した。左から１列目は行番号を、２列目は数値となる自然数Ｎを、３列目は曲り部と直管部の組合せが繰返される回数Ｎを、４列目は本発明の計算式と管の形状および名称を表している。各行にはそれぞれの数値に準じて、イ行にはＮ＝｛０｝の場合、ロ行にはＮ＝｛１｝の場合、ハ行にはＮ＝｛２｝の場合、二行にはＮ＝｛３｝の場合、ホ行にはＮ＝｛４｝の場合、ヘロ行にはＮ＝｛５｝の場合、ト行にはＮ＝｛６｝の場合、チ行にはＮ＝｛７｝の場合、リ行にはＮ＝｛８｝の場合、ヌ行には中途省略している。ワ行にはＮ＝｛Ｎ｝の場合を一覧にしている。【００１１】  図１に於いて基本となる計算式は、
直管部＋Ｎ＊（曲り部＋直管部）＝管の形状      であり、
特許文献１の請求項の一部分を参照に対比すると、参照文は“部材片端の始点を含む直管部に始まり”、次に“曲り部と直管部の組合せが４回を超える回数繰返され”ながら“部材の終点に至る単一単品の配管部材”と３つの文に分けることが出来る。この参照文の場合には繰返し回数が４回を超えるであり、図１ではＮ＝５に当たる。前記の計算式に３つに分けた文を計算式に当てはめて書き換えると、
“部材片端の始点を含む直管部に始まり”＋“４回を超える回数繰返され（数値はＮ＝５）”＊“曲り部と直管部の組合せ”＝管の形状となる。Ｎ＝５の場合の管の形状を  曲り管５  と命名する。【００１２】  この例文は４回を超える回数であり表記よりＮ＝５，Ｎ＝６，Ｎ＝７，Ｎ＝８、・・が請求項目範囲に含まれる事が読み取れる。よって、曲り管５および曲り管６および曲り管７および曲り管８ならびに順次曲り管Ｎまで含まれている。
ここで使用する数値Ｎは自然数であり，
Ｎ＝｛０，１，２，３，４，５，６，７，８，・・・・，Ｎ｝    である。
管の形状は、図１より
Ｎ＝０の時には、直管  となる。０が乗ぜられ曲り部が無に帰しており直管部のみが残っている。
Ｎ＝１の時には、曲り管１  となる。
・
・
Ｎ＝５の時には、曲り管５  となる。
Ｎ＝６の時には、曲り管６  となる。
・
・
つまり、管の形状は、Ｎに追従して  曲り管Ｎ  と表される。【００１３】  ここで、複数の直管部と複数の曲り部より構成され、部材片端の始点を含む直管部に始まり、次に曲り部と直管部の組合せが４回を超える回数繰返されながら部材の終点に至る単一単品の各種部材を曲り管５と命名する。繰返し回数により順次、曲り管６ならびに曲り管７・・・・となる。代表的には、  曲り管Ｎ  である。  以上の説明により、本発明の単一単品の管形状を表す計算式はＮの数値を知ることにより明瞭に管の形状が判る効果がある。【００１４】  図２は、本発明を自然数Ｎの繰返し回数Ｎと請求範囲の一覧表である。左から１列目は行番号を、２列目は数値となる自然数Ｎを、３列目は曲り部と直管部の組合せが繰返される回数Ｎを、４列目は繰返し回数がＮを超える場合の請求範囲を表している。各行にはそれぞれの数値に準じて、イ行にはＮ＝｛０｝の場合、ロ行にはＮ＝｛１｝の場合、ハ行にはＮ＝｛２｝の場合、二行にはＮ＝｛３｝の場合、ホ行にはＮ＝｛４｝の場合、ヘロ行にはＮ＝｛５｝の場合、ト行にはＮ＝｛６｝の場合、チ行にはＮ＝｛７｝の場合、リ行にはＮ＝｛８｝の場合、ヌ行には中途省略している。ル行にはＮ＝｛Ｎ−１｝の場合、ワ行にはＮ＝｛Ｎ｝の場合を一覧にしている。ここで、ワ行は自然数の最終であり超える範囲は無である。以上のことより、特許文献１の各請求項では繰返し回数が４回であり、請求範囲はＮ＝５より最大数値までの最も広範囲に請求されており、図２より繰返し回数が増える事は請求範囲が拡大ではなく狭小となることは明確である。
【符号の説明】
【００１５】    Ｎ    自然数  Ｎ＝｛０，１，２，３，４，５，６，７，８，・・・・，Ｎ｝
【産業上の利用応用】
【００１６】  特許文献１以外の同一発明者による単一単品の各種部材および準ずる類似出願にも名称と曲り角度や口径等の数値類を兼ね合わせ各種部材の型番表示に使用する。
【図１】
2016041977.tif 000003
【図２】
2016041977.tif 000004
【手続補正書】
【提出日】平成27年8月12日(2015.8.12)
【手続補正１】
【補正対象書類名】明細書
【補正対象項目名】０００６
【補正方法】変更
【補正の内容】
【０００６】  テキストと自然数Ｎ＝｛０，１，２，３，４，５，６，７，８，・・・，Ｍ｝を用い、加減乗除算を行い管の形状を表す事を手段とする。ここで、Ｍは最大値を表す。
【手続補正２】
【補正対象書類名】明細書
【補正対象項目名】００１０
【補正方法】変更
【補正の内容】
【００１０】  図１は、本発明を自然数Ｎおよび繰返し回数および計算式ならびに管の形状を一覧表にする事により各々の関連性を明確に表した。左から１列目は行番号を、２列目は数値となる自然数Ｎを、３列目は曲り部と直管部の組合せが繰返される回数Ｎを、４列目は本発明の計算式と管の形状および名称を表している。各行にはそれぞれの数値に準じて、イ行にはＮ＝｛０｝の場合、ロ行にはＮ＝｛１｝の場合、ハ行にはＮ＝｛２｝の場合、二行にはＮ＝｛３｝の場合、ホ行にはＮ＝｛４｝の場合、ヘロ行にはＮ＝｛５｝の場合、ト行にはＮ＝｛６｝の場合、チ行にはＮ＝｛７｝の場合、リ行にはＮ＝｛８｝の場合、ヌ行には中途省略している。ワ行にはＮ＝｛Ｍ｝の場合を一覧にしている。
【手続補正３】
【補正対象書類名】明細書
【補正対象項目名】００１１
【補正方法】変更
【補正の内容】
【００１１】  図１に於いて基本となる計算式は、
直管部＋Ｎ＊（曲り部＋直管部）＝管の形状      であり、
特許文献１の請求項の一部分を参照に対比すると、参照文は“部材片端の始点を含む直管部に始まり”、次に“曲り部と直管部の組合せが４回を超える回数繰返され”ながら“部材の終点に至る単一単品の配管部材”と３つの文に分けることが出来る。この参照文の場合には繰返し回数が４回を超えるであり、図１ではＮ＝５以上に当たる。前記の計算式に３つに分けた文を計算式に当てはめて書き換えると、
“部材片端の始点を含む直管部に始まり”＋“４回を超える回数繰返され（数値はＮ＝５）”＊“曲り部と直管部の組合せ”＝管の形状となる。Ｎ＝５の場合の管の形状を  曲り管５  と命名する。
【手続補正４】
【補正対象書類名】明細書
【補正対象項目名】００１２
【補正方法】変更
【補正の内容】
【００１２】    この例文は４回を超える回数であり表記よりＮ＝５，Ｎ＝６，Ｎ＝７，Ｎ＝８、・・が請求項目範囲に含まれる事が読み取れる。よって、曲り管５および曲り管６および曲り管７および曲り管８ならびに順次曲り管Ｍまで含まれている。
ここで使用する数値Ｎは自然数であり，
Ｎ＝｛０，１，２，３，４，５，６，７，８，・・・・，Ｍ｝    である。
管の形状は、図１より
Ｎ＝０の時には、直管  となる。０が乗ぜられ曲り部が無に帰しており直管部のみが残っている。
Ｎ＝１の時には、曲り管１  となる。
・
・
Ｎ＝５の時には、曲り管５  となる。
Ｎ＝６の時には、曲り管６  となる。
・
・
つまり、管の形状は、Ｎに追従して  曲り管Ｎ  と表される。
【手続補正５】
【補正対象書類名】明細書
【補正対象項目名】００１４
【補正方法】変更
【補正の内容】
【００１４】    図２は、本発明を自然数Ｎの繰返し回数Ｎと請求範囲の一覧表である。左から１列目は行番号を、２列目は数値となる自然数Ｎを、３列目は曲り部と直管部の組合せが繰返される回数Ｎを、４列目は繰返し回数がＮを超える場合の請求範囲を表している。各行にはそれぞれの数値に準じて、イ行にはＮ＝｛０｝の場合、ロ行にはＮ＝｛１｝の場合、ハ行にはＮ＝｛２｝の場合、二行にはＮ＝｛３｝の場合、ホ行にはＮ＝｛４｝の場合、ヘロ行にはＮ＝｛５｝の場合、ト行にはＮ＝｛６｝の場合、チ行にはＮ＝｛７｝の場合、リ行にはＮ＝｛８｝の場合、ヌ行には中途省略している。ル行にはＮ＝｛Ｍ−１｝の場合、ワ行にはＮ＝｛Ｍ｝の場合を一覧にしている。ここで、ワ行は自然数の最大値である。以上のことより、特許文献１の各請求項では繰返し回数が４回を超える回数であり、請求範囲はＮ＝５より最大値までの最も広範囲に請求されており、図２より繰返し回数が増える事は請求範囲が拡大ではなく狭小となることは明確である。
【手続補正６】
【補正対象書類名】明細書
【補正対象項目名】００１５
【補正方法】変更
【補正の内容】
【００１５】Ｎ    自然数  Ｎ＝｛０，１，２，３，４，５，６，７，８，・・・・，Ｍ｝
ここで、Ｍは最大値を表す。
【手続補正７】
【補正対象書類名】特許請求の範囲
【補正対象項目名】請求項１
【補正方法】変更
【補正の内容】
【請求項１】
基本となる計算式  “直管部＋Ｎ＊（曲り部＋直管部）＝管の形状  の使用を請求する。  ただし、Ｎ＝｛０，１，２，３，４，５，６，７，８，・・・・，Ｍ｝
ここで、Ｍは最大値を表す。
【手続補正８】
【補正対象書類名】図面
【補正対象項目名】図１
【補正方法】変更
【補正の内容】
【図１】
2016041977.tif 000005
【手続補正９】
【補正対象書類名】図面
【補正対象項目名】図２
【補正方法】変更
【補正の内容】
【図２】
2016041977.tif 000006